(57)【特許請求の範囲】
【請求項１】
前面に開口部を有し外側縁部から前記開口部に連通するランプピン挿入溝を有するソケット本体と、前記開口部に回転自在に設けられて前記ランプピン挿入溝に連通してランプピンをガイドするガイド溝を前面に有する回転子と、前記ソケット本体内に配設されたランプピン接触子とを備え、前記ランプピン挿入溝から前記ガイド溝に挿入された前記ランプピンを前記回転子とともに回転させることにより、前記ランプピンが前記ランプピン接触子に接触する直管蛍光灯用のランプソケットにおいて、前記ランプピン接触子は、前記ランプの正規の装着位置において前記ランプピンが前記ランプピン接触子に接触するように全体的に略くの字に折曲することにより前記ランプピンと嵌合する凹部を有し、前記回転子は、前記ガイド溝が前記ランプピン挿入溝に整合する回動位置と、前記ガイド溝に支持された前記ランプピンが前記凹部に嵌合する回動位置との中間に、前記ガイド溝が位置したとき、前記凹部に嵌合して前記回転子を位置決めする凸部を有し、前記凸部が前記凹部に嵌合した状態で前記ランプピン接触子が前記ランプピンから離れるように前記ソケット本体に配設されたランプソケット。
【請求項２】
前記凸部は、前記ガイド溝に対して線対称に二対有する請求項１記載のランプソケット。
【請求項３】
前記ランプピン挿入溝と前記ガイド溝が一致する前記回転子の回転位置で前記ランプピン接触子の凹部に嵌合する凸部を前記回転子に設けた請求項１または請求項２記載のランプソケット。
【発明の詳細な説明】
【０００１】
【発明の属する技術分野】
この発明は、直管型蛍光ランプを使った照明器具に適用するランプソケットに関するものである。
【０００２】
【従来の技術】
従来のランプソケット（例えば、実開昭50-10695号、特開平8-167459号) は、前面に開口部を有し外側縁部から開口部に連通するランプピン挿入溝を有するソケット本体と、前記開口部に回転自在に設けられて前記ランプピン挿入溝に連通してランプピンをガイドするガイド溝を前面に有する回転子と、前記ソケット本体内に配設されたランプピン接触子とを備えている。ランプを装着するときは、ランプピンをランプピン挿入溝からガイド溝に挿入し、ランプピンを回動して回転子をともに回転させ、ランプピンをランプピン接触子に接触保持させて、点灯状態とする。
【０００３】
ランプを外すときはランプを回転してランプピンをランプピン挿入溝より引出す。
【０００４】
【発明が解決しようとする課題】
店舗や工場等で直管の蛍光灯器具を多灯施設した場合等で、何本かに１本の割合でランプを外すことにより省エネルギーを図ることが行われているが、外したランプの保管が面倒なため、ランプを僅かに回動しランプが消えたところで保持した状態にしていることがあった。
【０００５】
従来のランプソケットをこのような状態で保持することは、振動等によりランプの落下を生じたり、逆にランプピンがランプピン接触子に不確実に接触し、発熱や火災を生じる危険があった。
【０００６】
したがって、この発明の目的は、ランプ落下を生じることなく、ランプを消える位置に回してもランプピンとランプピン接触子とを不確実に接触させないランプソケットを提供することである。
【０００７】
【課題を解決するための手段】
請求項１記載のランプソケットは、前面に開口部を有し外側縁部から前記開口部に連通するランプピン挿入溝を有するソケット本体と、前記開口部に回転自在に設けられて前記ランプピン挿入溝に連通してランプピンをガイドするガイド溝を前面に有する回転子と、前記ソケット本体内に配設されたランプピン接触子とを備え、前記ランプピン挿入溝から前記ガイド溝に挿入された前記ランプピンを前記回転子とともに回転させることにより、前記ランプピンが前記ランプピン接触子に接触する直管蛍光灯用のランプソケットにおいて、前記ランプピン接触子は、前記ランプの正規の装着位置において前記ランプピンが前記ランプピン接触子に接触するように全体的に略くの字に折曲することにより前記ランプピンと嵌合する凹部を有し、前記回転子は、前記ガイド溝が前記ランプピン挿入溝に整合する回動位置と、前記ガイド溝に支持された前記ランプピンが前記凹部に嵌合する回動位置との中間に、前記ガイド溝が位置したとき、前記凹部に嵌合して前記回転子を位置決めする凸部を有し、前記凸部が前記凹部に嵌合した状態で前記ランプピン接触子が前記ランプピンから離れるように前記ソケット本体に配設されたものである。
【０００８】
請求項１記載のランプソケットによれば、ランプピンを凹部に嵌合するとランプが点灯し、凸部を凹部に嵌合するとランプが消灯する。したがって、ランプ回動操作で点灯と消灯を達成でき、消灯状態でランプを外して保管する面倒さがなくなり、またいずれも回転子がランプピン接触子に保持されるためランプが落下することがなく、またランプピンがランプピン接触子に不確実に接触することがない。
【０００９】
請求項２記載のランプソケットは、請求項１において、前記凸部が、前記ガイド溝に対して線対称に二対有するものである。
【００１０】
請求項２記載のランプソケットによれば、回転方向が変わっても同じ回動角の位置で請求項１と同効果が得られる。
【００１１】
請求項３記載のランプソケットは、請求項１または請求項２において、前記ランプピン挿入溝と前記ガイド溝が一致する前記回転子の回転位置で前記ランプピン接触子の凹部に嵌合する凸部を前記回転子に設けたものである。
【００１２】
請求項３記載のランプソケットによれば、請求項１または請求項２のほか、ランプピンを外した状態で回転子が自由に回動しないので、ランプピン挿入操作が容易になる。
【００１３】
【発明の実施の形態】
この発明の一実施の形態を図１から図８により説明する。すなわち、この直管蛍光灯用のランプソケットは、ソケット本体１と、回転子２と、ランプピン接触子３とを有する。
【００１４】
ソケット本体１は、例えば図６に示すように前面に開口部４を有し、外側縁部から開口部４に連通するランプピン挿入溝５を有する。実施の形態では、図５に示すように、樹脂製のボディ６と、樹脂製のカバー７からなる。ボディ６は、図４および図５に示すように筐体の一端部に一対の端子収納部８を形成し、略中央に回転子支持筒９を形成し、他端部にランプピン挿入用逃げ部１０を形成している。端子収納部８のある側壁には電線挿入孔１１と連結用突起１２を形成し、支持筒９には弾性付与のための割り１３と周溝１４を形成している。カバー７は、ボディ６に被さる蓋体筐体であり、電線挿入孔１１に整合する電線挿通孔１５、突起１２に嵌合する連結孔１６、支持筒９に対向する略円形の開口部４、ランプピン挿入用逃げ部１０に位置するランプピン挿入溝５を有する。開口部４の周縁は受段を有する。１７はソケット取付脚である。
【００１５】
回転子２は、開口部４に回転自在に設けられてランプピン挿入溝５に連通してランプピン２０をガイドするガイド溝２１を前面に有する。実施の形態では円板部２２とその中心に設けた筒部２３からなり、ガイド溝２１は円板部２２と筒部２３にまたがって形成され、筒部２３は支持筒９に外嵌するものであり、周溝１４に係合する内つば２４を有し、円板部２２の周縁が開口部４の受段に係合し、回転子２を介してカバー７をボディ６に固定している。
【００１６】
ランプピン接触子３は、ソケット本体１内に配設されており、ランプピン挿入溝５からガイド溝２１に挿入されたランプピン２０を回転子２とともに回転させることにより、ランプピン２０がランプピン接触子３に接触する。ランプピン接触子３は、ランプ２５の正規の装着位置においてランプピン２０がランプピン接触子３に接触するようにランプピン２０と嵌合する凹部２７を設けている。実施の形態では端子の付いたランプピン接続端子であり、一対の帯状のばね性の導電板により形成され、それぞれ一端を略Ｌ字に折曲し折曲端側に例えば速結タイプの端子部２８を形成し、他端寄りに凹部２７をくの字形に折曲し、他端部に反対向きに折曲する折曲部２９を形成している。図４はランプピン接触子３の装着状態であり、速結端子部２８を端子収納部８に位置決め収納し、他端をボディ６に形成した支持片３０に当接している。この状態で凹部２７が支持筒９に対向する。
【００１７】
そして、上記回転子２は、ガイド溝２１がランプピン挿入溝５から離れかつランプピン２０が凹部２７から離れてランプピン接触子３に接触していない回転位置で、凹部２７に嵌合して回転子２を位置決めする凸部３２、３３を有する。凸部３２、３３は、回転子２の回転中心に対して点対称に二対有するものであるが、凸部としてガイド溝２１に対して線対称に二対有している。さらにランプピン挿入溝５とガイド溝２１がそろう回転子２の回転位置でランプピン接触子３の凹部２７に嵌合する凸部３４を回転子２に設けている。凸部３２、３３は回転子２のガイド溝２１がランプピン挿入溝５にそろう位置から約４５度の回転方向の位置に設けられ、凸部３４は約９０度の位置すなわち凸部３２、３３の間の位置に設けられる。
【００１８】
図３は回転子２のランプ装着開始またはランプ取外位置を示している。このとき、ガイド溝２１とランプピン挿入溝５がそろい、ランプピン２０はガイド溝２１からランプピン挿入溝５を通って外すことができる。反対にランプピン２０をランプピン挿入溝５からガイド溝２１に挿入することができ、ランプ装着することができる。また回転子２は凸部３４がランプピン接触子３の凹部２７に嵌合して位置決め停止している。
【００１９】
図１はランプピン２０を挿入した図３の位置からランプ２５を約４５度回転した状態であり、凸部３２の一方がランプピン接触子３の折曲部２９をその弾性に抗して乗り越えて一対の凸部３２が凹部２７に弾性嵌合し、回転子２が回転停止した状態であり、ランプピン２０はランプピン接触子３と接触していない消灯状態である。図１では時計回りにランプ２５を回動しているが、反時計回りにランプ２５を回動したときは凸部３３が凹部２７に嵌合する。消灯状態では凸部３３または３４がランプピン接触子３の折曲部２９を乗り越えて停止しているため、ランプ落下になることがなく、また回転子２のガイド溝２１はランプピン挿入溝５と凹部２７の間に位置するためランプピン接触子３とランプピン２０とが不安定に接触することがない。
【００２０】
図２は図１の位置からランプ２５を４５度、図３の位置からは約９０度回転した状態であり、ランプピン２０が凹部２７に弾性嵌合して回転子２とともに位置決め停止した点灯状態である。この状態からさらに時計回りまたは反時計回りに回転すると図１の消灯状態、または図３の着脱状態になる。
【００２１】
なお、この発明において、凸部３２、３３は１つでもよいが、少なくとも一対有するのが好ましい。
【００２２】
【発明の効果】
請求項１記載のランプソケットによれば、ランプピンを凹部に嵌合するとランプが点灯し、凸部を凹部に嵌合するとランプが消灯する。したがって、ランプ回動操作で点灯と消灯を達成でき、消灯状態でランプを外して保管する面倒さがなくなり、またいずれも回転子がランプピン接触子に保持されるためランプが落下することがなく、またランプピンがランプピン接触子に不確実に接触することがない。
【００２３】
請求項２記載のランプソケットによれば、回転方向が変わっても同じ回動角の位置で請求項１と同効果が得られる。
【００２４】
請求項３記載のランプソケットによれば、請求項１または請求項２のほか、ランプピンを外した状態で回転子が自由に回動しないので、ランプピン挿入操作が容易になる。
【図面の簡単な説明】
【図１】この発明の一実施の形態のランプ消灯状態の回転子の位置を示すランプソケットのカバーを外した状態の正面図である。
【図２】図１から回転子を回転したランプ点灯状態のランプソケットのカバーを外した状態の正面図である。
【図３】ランプ着脱状態のランプソケットのカバーを外した状態の正面図である。
【図４】カバーを外した状態のランプソケットの正面図である。
【図５】分解斜視図である。
【図６】ランプソケットの外観斜視図である。
【図７】ランプソケットの背面側からみた斜視図である。
【図８】断面図である。
【符号の説明】
１    ソケット本体
２    回転子
３    ランプピン接触子
４    開口部
５    ランプピン挿入溝
２０    ランプピン
２１    ガイド溝
２７    凹部
３２    凸部
３３    凸部
３４    凸部
【図１】
0004488644.tif 000002
【図２】
0004488644.tif 000003
【図３】
0004488644.tif 000004
【図４】
0004488644.tif 000005
【図５】
0004488644.tif 000006
【図６】
0004488644.tif 000007
【図７】
0004488644.tif 000008
【図８】
0004488644.tif 000009